(57)【要約】【課題】伸縮性・柔軟性を有しながら、流水管とヒーターガイド管との接触を維持し、両者間の伝熱性を向上させることができる給水・給湯用配管及びその製造方法を提供すること。【解決手段】給水・給湯用配管１は、流水管２と、軸方向に沿って凹凸を設けた蛇腹状の外周面３２を有し、ヒーターを内側に挿通配置するためのヒーターガイド管３と、流水管２とヒーターガイド管３とを接触させた状態で、流水管２及びヒーターガイド管３の外周に巻き付けられ、両者を結束する結束テープ４と、結束テープ４により結束した流水管２及びヒーターガイド管３の外側を被覆する筒状の被覆材５とを備えている。結束テープ４は、ヒーターガイド管３の外周面３２の凹部３２１内に食い込んだ状態で、流水管２及びヒーターガイド管３の外周に巻き付けられている。【選択図】図３
2016017314.tif 000002
【特許請求の範囲】
【請求項１】
流水管と、
軸方向に沿って凹凸を設けた蛇腹状の外周面を有し、ヒーターを内側に挿通配置するためのヒーターガイド管と、
前記流水管と前記ヒーターガイド管とを接触させた状態で、前記流水管及び前記ヒーターガイド管の外周に巻き付けられ、両者を結束する結束テープと、
該結束テープにより結束した前記流水管及び前記ヒーターガイド管の外側を被覆する筒状の被覆材とを備え、
前記結束テープは、前記ヒーターガイド管の前記外周面の凹部内に食い込んだ状態で、前記流水管及び前記ヒーターガイド管の外周に巻き付けられていることを特徴とする給水・給湯用配管。
【請求項２】
前記結束テープは、金属製であることを特徴とする請求項１に記載の給水・給湯用配管。
【請求項３】
前記結束テープは、非粘着性であることを特徴とする請求項１又は２に記載の給水・給湯用配管。
【請求項４】
流水管と、軸方向に沿って凹凸を設けた蛇腹状の外周面を有し、ヒーターを内側に挿通配置するためのヒーターガイド管とを束ねた状態で、前記流水管及び前記ヒーターガイド管の外周に結束テープを巻き付け、両者を接触させた状態で結束する結束工程と、
前記結束テープにより結束した前記流水管及び前記ヒーターガイド管の外側を被覆材により被覆する被覆工程とを有し、
前記結束工程では、前記結束テープを前記ヒーターガイド管の前記外周面の凹部内に食い込ませながら、前記流水管及び前記ヒーターガイド管の外周に巻き付けることを特徴とする給水・給湯用配管の製造方法。
【請求項５】
前記被覆工程では、前記結束テープにより結束した前記流水管及び前記ヒーターガイド管の外側をシート状の前記被覆材で筒状に巻いた後、該被覆材の幅方向の端縁部同士を熱融着により接合することを特徴とする請求項４に記載の給水・給湯用配管の製造方法。
【発明の詳細な説明】
【技術分野】
【０００１】
本発明は、給水・給湯用配管及びその製造方法に関する。
【背景技術】
【０００２】
従来、流水管と、ヒーターを内側に挿通配置するヒーターガイド管と、流水管及びヒーターガイド管の外側を被覆する筒状の被覆材とを備えた給水・給湯用配管が知られている（特許文献１参照）。被覆材は、合成樹脂の発泡体、特にポリエチレン、ポリプロピレン等のポリオレフィンの発泡体で形成され、流水管及びヒーターガイド管の損傷や結露を防止し、断熱性・保温性を高めている。流水管及びヒーターガイド管は、被覆材によって被覆されることにより、被覆材の内側において互いに接触した状態となっている。
【先行技術文献】
【特許文献】
【０００３】
【特許文献１】特開２０１３−１８９８６０号公報
【発明の概要】
【発明が解決しようとする課題】
【０００４】
しかしながら、長尺状の給水・給湯用配管は、製造後にコイル巻きされるため、自重で被覆材が鉛直方向に圧縮される。また、コイル巻きをした後、配管が真っ直ぐに伸びようとして拡がり、被覆材が径方向外側に圧縮される。また、製品の積み上げにより、その荷重で被覆材が鉛直方向に圧縮される。
【０００５】
このようにして被覆材が圧縮されると、被覆材の厚みが薄くなり、被覆材の内径が大きくなる。そのため、流水管とヒーターガイド管との接触が解除された部分が生じ、ヒーターの熱がヒーターガイド管から流水管へ伝わりにくくなる。つまり、流水管とヒーターガイド管との間の伝熱性が低下する。
【０００６】
本発明は、かかる背景に鑑みてなされたものであり、伸縮性・柔軟性を有しながら、流水管とヒーターガイド管との接触を維持し、両者間の伝熱性を向上させることができる給水・給湯用配管及びその製造方法を提供しようとするものである。
【課題を解決するための手段】
【０００７】
本発明の一の態様は、流水管と、軸方向に沿って凹凸を設けた蛇腹状の外周面を有し、ヒーターを内側に挿通配置するためのヒーターガイド管と、前記流水管と前記ヒーターガイド管とを接触させた状態で、前記流水管及び前記ヒーターガイド管の外周に巻き付けられ、両者を結束する結束テープと、該結束テープにより結束した前記流水管及び前記ヒーターガイド管の外側を被覆する筒状の被覆材とを備え、前記結束テープは、前記ヒーターガイド管の前記外周面の凹部内に食い込んだ状態で、前記流水管及び前記ヒーターガイド管の外周に巻き付けられていることを特徴とする給水・給湯用配管にある。
【０００８】
本発明の他の態様は、流水管と、軸方向に沿って凹凸を設けた蛇腹状の外周面を有し、ヒーターを内側に挿通配置するためのヒーターガイド管とを束ねた状態で、前記流水管及び前記ヒーターガイド管の外周に結束テープを巻き付け、両者を接触させた状態で結束する結束工程と、前記結束テープにより結束した前記流水管及び前記ヒーターガイド管の外側を被覆材により被覆する被覆工程とを有し、前記結束工程では、前記結束テープを前記ヒーターガイド管の前記外周面の凹部内に食い込ませながら、前記流水管及び前記ヒーターガイド管の外周に巻き付けることを特徴とする給水・給湯用配管の製造方法にある。
【０００９】
前記給水・給湯用配管は、流水管とヒーターガイド管とを接触させた状態で、流水管及びヒーターガイド管の外周に結束テープが巻き付けられ、両者を結束テープによって結束している。また、結束テープは、蛇腹状であるヒーターガイド管の外周面の凹部内に食い込んだ状態で巻き付けられている。
【００１０】
そのため、前述した理由によって被覆材が圧縮され、被覆材の厚みが薄くなり、被覆材の内径が大きくなったとしても、流水管とヒーターガイド管との接触を確実に維持することができる。また、流水管とヒーターガイド管との軸方向の位置ずれも生じにくい。これにより、流水管とヒーターガイド管との間の伝熱性を十分に確保することができる。
【００１１】
また、ヒーターの熱は、互いに接触した状態にあるヒーターガイド管から直接流水管に伝わると共に、ヒーターガイド管から結束テープを介して間接的に流水管に伝わる。そのため、ヒーターの熱をヒーターガイド管から流水管に効率良く伝えることができる。これにより、流水管とヒーターガイド管との間の伝熱性を向上させることができる。
【００１２】
また、結束テープがヒーターガイド管の外周面の凹部内に食い込んでいるため、結束テープの採熱面積が大きくなり、前述の伝熱効果をより高めることができる。また、結束テープによって区画された空間内に流水管及びヒーター管が配置されることになるため、その空間を介しての伝熱効果も得られる。これにより、流水管とヒーターガイド管との間の伝熱性をさらに向上させることができる。
【００１３】
また、ヒーターガイド管の外周面は、軸方向に沿って凹凸を設けた蛇腹状に形成されている。そのため、ヒーターガイド管の伸縮性・柔軟性を向上させることができる。これにより、ヒーターガイド管を含めた給水・給湯用配管全体の伸縮性・柔軟性を向上させ、例えば製造後のコイル巻きや設置の際の作業性を高めることができる。
【００１４】
前記給水・給湯用配管の製造方法は、結束工程と被覆工程とを順に行う。すなわち、結束工程では、束ねた状態の流水管及びヒーターガイド管の外周に結束テープを巻き付け、両者を接触させた状態で結束する。このとき、結束テープを蛇腹状であるヒーターガイド管の外周面の凹部内に食い込ませながら巻き付ける。そして、被覆工程では、結束して一体となった流水管及びヒーターガイド管の外側を被覆材により被覆する。
【００１５】
これにより、前述した給水・給湯用配管、つまり伸縮性・柔軟性を有しながら、流水管とヒーターガイド管との接触を維持し、両者間の伝熱性を向上させることができる給水・給湯用配管を容易に製造することができる。特に、予め結束テープにより結束した流水管及びヒーターガイド管を被覆材により被覆するため、その被覆作業が非常に容易となる。
【００１６】
このように、本発明によれば、伸縮性・柔軟性を有しながら、流水管とヒーターガイド管との接触を維持し、両者間の伝熱性を向上させることができる給水・給湯用配管及びその製造方法を提供することができる。
【００１７】
また、前記給水・給湯用配管において、結束テープは、金属製であってもよい。この場合には、結束テープの熱伝導性が向上するため、ヒーターの熱をヒーターガイド管から結束テープを介して流水管に効率良く伝えることができる。これにより、流水管とヒーターガイド管との間の伝熱性をさらに向上させることができる。
【００１８】
なお、金属製の結束テープとしては、例えば、アルミニウムを主成分とする薄膜（例えば厚み１０〜４０μｍ程度）のアルミテープ等を用いることができる。この場合、前述した効果が得られると共に、流水管及びヒーターガイド管への巻き付けも容易である。
【００１９】
また、前記結束テープは、非粘着性であってもよい。すなわち、結束テープが粘着性を有していると、流水管の表面に粘着性が残り、流水管を継手等に接続する際に異物を噛み込み、シール性を損なうおそれがあるが、このような問題が生じないようにすることができる。
【００２０】
また、前記給水・給湯用配管の製造方法において、前記被覆工程では、前記結束テープにより結束した前記流水管及び前記ヒーターガイド管の外側をシート状の前記被覆材で筒状に巻いた後、該被覆材の幅方向の端縁部同士を熱融着により接合してもよい。この場合には、例えば、被覆材を熱融着する際に接合部分に熱風を当てて加熱するが、流水管及びヒーターガイド管の外周に結束テープが巻き付けられているため、熱風が流水管及びヒーターガイド管に直接当たることを防止できる。これにより、流水管やヒーターガイド管の表面が溶融して被覆材に接着することを防止できる。
【００２１】
なお、結束テープは、前述した効果を得るために、耐熱性を十分に有していることが好ましい。例えば、結束テープを構成する材料の融点が高い（少なくとも熱融着温度よりも高い）ことが好ましい。
【図面の簡単な説明】
【００２２】
【図１】実施形態１における、給水・給湯用配管を示す斜視図である。
【図２】実施形態１における、給水・給湯用配管を示す側面図である。
【図３】（Ａ）は、実施形態１における、給水・給湯用配管の部分的な断面を示す部分断面図であり、（Ｂ）は、（Ａ）のＡ部分を拡大して詳細に示す断面図である。
【図４】実施形態１における、給水・給湯用配管を示す断面図である。
【図５】実施形態１における、給水・給湯用配管を製造する製造装置を示す説明図である。
【図６】実施形態１における、流水管及びヒーターガイド管を結束テープにより結束する結束工程を示す説明図である。
【図７】実施形態１における、流水管及びヒーターガイド管を結束した結束テープに粘着テープを貼り付ける工程を示す説明図である。
【図８】実施形態１における、結束テープにより結束した流水管及びヒーターガイド管の外側を被覆材により被覆する被覆工程を示す説明図である。
【発明を実施するための形態】
【００２３】
以下、本発明の実施形態を図面と共に説明する。
（実施形態１）
まず、本実施形態の給水・給湯用配管について説明する。
【００２４】
図１〜図４に示すように、本実施形態の給水・給湯用配管１は、流水管２と、軸方向に沿って凹凸を設けた蛇腹状の外周面３２を有し、ヒーター３０を内側に挿通配置するためのヒーターガイド管３と、流水管２とヒーターガイド管３とを接触させた状態で、流水管２及びヒーターガイド管３の外周に巻き付けられ、両者を結束する結束テープ４と、結束テープ４により結束した流水管２及びヒーターガイド管３の外側を被覆する筒状の被覆材５とを備えている。結束テープ４は、ヒーターガイド管３の外周面３２の凹部３２１内に食い込んだ状態で、流水管２及びヒーターガイド管３の外周に巻き付けられている。以下、これを詳説する。
【００２５】
図１〜図４に示すように、給水・給湯用配管１において、流水管２は、水を流通させるためのものである。流水管２は、例えば、架橋ポリエチレン、ポリブテン等の合成樹脂で構成される。流水管２は、ある程度の水圧（例えば１．７５ＭＰａ以上）に耐えられるように、ヒーターガイド管３よりも肉厚に形成されている。
【００２６】
同図に示すように、ヒーターガイド管３は、ヒーター３０（図４）を内側に挿通配置するためのものである。ヒーターガイド管３は、例えば、ポリエチレン、ポリプロピレン等の合成樹脂で構成される。ヒーターガイド管３は、流水管２よりも径が小さく形成されている。ヒーターガイド管３は、軸方向に沿って凹凸を繰り返し設けた蛇腹状に形成され、伸縮性・柔軟性を有する。本実施形態では、ヒーターガイド管３の内周面３１及び外周面３２が共に蛇腹状に形成されている。
【００２７】
図４に示すように、ヒーターガイド管３の内側に挿通配置されるヒーター３０は、発熱することによって流水管２に熱を伝え、流水管２内の水を加熱するためのものである。ヒーター３０としては、例えば、自己温度制御型のヒーター、サーモスタット付きのヒーター等を用いることができる。
【００２８】
図１〜図４に示すように、流水管２及びヒーターガイド管３は、互いに接触した状態で並んで配置されている。流水管２及びヒーターガイド管３の外周には、帯状の結束テープ４が螺旋状に巻き付けられている。流水管２及びヒーターガイド管３は、巻き付けられた結束テープ４によって結束した状態となっている。
【００２９】
図３（Ａ）、（Ｂ）に示すように、結束テープ４は、ヒーターガイド管３の外周面３２の凹部３２１内に食い込んだ状態で、流水管２及びヒーターガイド管３の外周に巻き付けられている。なお、図３では、給水・給湯用配管１の一部（流水管２、ヒーターガイド管３、結束テープ４）を断面として示している。
【００３０】
図１〜図４に示すように、結束テープ４は、流水管２及びヒーターガイド管３の外周に螺旋状に巻き付けられることにより、筒状の結束部４０を形成している。結束部４０の外周面４０２には、結束テープ４が解けないようにするため、軸方向に沿って帯状の粘着テープ４１が貼り付けられている。
【００３１】
結束テープ４は、厚みが１０〜４０μｍ程度の金属製のテープであり、具体的にはアルミニウムを主成分とするアルミテープである。結束テープ４は、両面共に粘着性を有していない非粘着性のテープである。一方、粘着テープ４１は、一方側の面（結束部４０に貼付される側の面）に粘着性を有する透明のポリエステルフィルムである。
【００３２】
同図に示すように、結束テープ４により結束した流水管２及びヒーターガイド管３は、筒状の被覆材５により被覆されている。被覆材５は、結束テープ４（結束部４０）を介して流水管２及びヒーターガイド管３に接触している。なお、図４では、結束テープ４（結束部４０）と被覆材５との間に隙間がないように示しているが、両者の間に隙間があってもよい。被覆材５は、合成樹脂の発泡体、特にポリエチレン、ポリプロピレン等のポリオレフィンの発泡体で構成される。被覆材５は、流水管２及びヒーターガイド管３の損傷や結露を防止し、断熱性・保温性を高める機能を果たす。被覆材５の外周面には、保護用のポリエチレンシート（図示略）が貼り付けられている。
【００３３】
被覆材５の厚みは、通常、３〜２０ｍｍとすることができる。厚みが３ｍｍ未満の場合には、被覆材５としての機能を十分に果たすことが困難となるおそれがある。一方、厚みが２０ｍｍを超える場合には、曲げるときに曲げにくくなる等、取り扱いが困難となるおそれがある。
【００３４】
次に、本実施形態の給水・給湯用配管１の製造方法について説明する。
図５〜図８に示すように、本実施形態の給水・給湯用配管１の製造方法は、流水管２と、軸方向に沿って凹凸を設けた蛇腹状の外周面３２を有し、ヒーター３０を内側に挿通配置するためのヒーターガイド管３とを束ねた状態で、流水管２及びヒーターガイド管３の外周に結束テープ４を巻き付け、両者を接触させた状態で結束する結束工程と、結束テープ４により結束した流水管２及びヒーターガイド管３の外側を被覆材５により被覆する被覆工程とを有する。結束工程では、結束テープ４をヒーターガイド管３の外周面３２の凹部３２１内に食い込ませながら、流水管２及びヒーターガイド管３の外周に巻き付ける。以下、これを詳説する。
【００３５】
図５に示すように、本実施形態では、給水・給湯用配管１を製造するための製造装置６を用いて、給水・給湯用配管１を製造する。製造装置６は、後述するように、結束テープ巻き付け装置６１、粘着テープ貼り付け装置６２（粘着テープロール６２１、粘着テープ貼り付けローラー６２２）、被覆材原反ロール６３、被覆材巻き付けガイド６４、温風吹き付け装置６５、配管巻き取り装置６６等を備えている。
【００３６】
給水・給湯用配管１を製造するに当たっては、まず、図５に示すように、流水管２とヒーターガイド管３とを結束テープ巻き付け装置６１に進める。そして、図５、図６に示すように、結束テープ巻き付け装置６１内部で円盤状の治具（図示略）を回転させることにより、束ねた状態の流水管２及びヒーターガイド管３の外周に結束テープ４をＢ方向（図６）に螺旋状に巻き付ける。このとき、結束テープ４をヒーターガイド管３の外周面３２の凹部３２１内に食い込ませながら、流水管２及びヒーターガイド管３の外周に巻き付ける（図３参照）。これにより、流水管２及びヒーターガイド管３を接触させた状態で結束テープ４により結束する。
【００３７】
次いで、図５に示すように、結束テープ４（結束部４０）により結束した流水管２及びヒーターガイド管３を粘着テープ貼り付け装置６２に進める。そして、図５、図７に示すように、粘着テープロール６２１から供給される粘着テープ４１を粘着テープ貼り付けローラー６２２によって結束部４０の外周面４０２に貼り付ける。このとき、流水管２及びヒーターガイド管３の軸方向に沿って、結束部４０の外周面４０２に粘着テープ４１を貼り付ける。
【００３８】
次いで、図５、図８に示すように、結束テープ４により結束した流水管２及びヒーターガイド管３を、被覆材原反ロール６３より供給されたシート状の被覆材５と共に、被覆材巻き付けガイド６４に通過させる。これにより、結束テープ４により結束した流水管２及びヒーターガイド管３の外側を被覆材５で筒状に巻く。そして、被覆材５の幅方向の端縁部５１同士が突き合わされた部分（突き合わせ部５２）に温風吹き付け装置６５から３００〜４００℃の温風が当てられ、被覆材５の端縁部５１同士を熱融着により接合する。これにより、結束テープ４により結束した流水管２及びヒーターガイド管３の外側を被覆材５により被覆する。
【００３９】
以上により、給水・給湯用配管１を製造する。なお、図５に示すように、製造された長尺状（例えば２５ｍ、５０ｍ）の給水・給湯用配管１は、配管巻き取り装置６６によってコイル状に巻き取られ、コイル巻き状態とする。
【００４０】
次に、本実施形態の給水・給湯用配管１及びその製造方法における作用効果について説明する。
本実施形態の給水・給湯用配管１は、流水管２とヒーターガイド管３とを接触させた状態で、流水管２及びヒーターガイド管３の外周に結束テープ４が巻き付けられ、両者を結束テープ４によって結束している。また、結束テープ４は、蛇腹状であるヒーターガイド管３の外周面３２の凹部３２１内に食い込んだ状態で巻き付けられている。
【００４１】
そのため、前述した理由によって被覆材５が圧縮され、被覆材５の厚みが薄くなり、被覆材５の内径が大きくなったとしても、流水管２とヒーターガイド管３との接触を確実に維持することができる。また、流水管２とヒーターガイド管３との軸方向の位置ずれも生じにくい。これにより、流水管２とヒーターガイド管３との間の伝熱性を十分に確保することができる。
【００４２】
また、ヒーター３０の熱は、互いに接触した状態にあるヒーターガイド管３から直接流水管２に伝わると共に、ヒーターガイド管３から結束テープ４を介して間接的に流水管２に伝わる。そのため、ヒーター３０の熱をヒーターガイド管３から流水管２に効率良く伝えることができる。これにより、流水管２とヒーターガイド管３との間の伝熱性を向上させることができる。
【００４３】
また、結束テープ４がヒーターガイド管３の外周面３２の凹部３２１内に食い込んでいるため、結束テープ４の採熱面積が大きくなり、前述の伝熱効果をより高めることができる。また、結束テープ４によって区画された空間４００（図４参照）内に流水管２及びヒーターガイド管３が配置されることになるため、その空間４００を介しての伝熱効果も得られる。これにより、流水管２とヒーターガイド管３との間の伝熱性をさらに向上させることができる。
【００４４】
また、ヒーターガイド管３の外周面３２は、軸方向に沿って凹凸を設けた蛇腹状に形成されている。そのため、ヒーターガイド管３の伸縮性・柔軟性を向上させることができる。これにより、ヒーターガイド管３を含めた給水・給湯用配管１全体の伸縮性・柔軟性を向上させ、例えば製造後のコイル巻きや設置の際の作業性を高めることができる。
【００４５】
また、本実施形態において、結束テープ４は、金属製（アルミテープ）である。これにより、結束テープ４の熱伝導性が向上するため、ヒーター３０の熱をヒーターガイド管３から結束テープ４を介して流水管２に効率良く伝えることができる。
【００４６】
また、結束テープ４は、非粘着性である。すなわち、結束テープ４が粘着性を有していると、流水管２の表面に粘着性が残り、流水管２を継手等に接続する際に異物を噛み込み、シール性を損なうおそれがあるが、このような問題が生じないようにすることができる。
【００４７】
また、本実施形態の給水・給湯用配管１の製造方法は、結束工程と被覆工程とを順に行う。すなわち、結束工程では、束ねた状態の流水管２及びヒーターガイド管３の外周に結束テープ４を巻き付け、両者を接触させた状態で結束する。このとき、結束テープ４を蛇腹状であるヒーターガイド管３の外周面３２の凹部３２１内に食い込ませながら巻き付ける。そして、被覆工程では、結束して一体となった流水管２及びヒーターガイド管３の外側を被覆材５により被覆する。
【００４８】
これにより、前述した給水・給湯用配管１、つまり伸縮性・柔軟性を有しながら、流水管２とヒーターガイド管３との接触を維持し、両者間の伝熱性を向上させることができる給水・給湯用配管１を容易に製造することができる。特に、予め結束テープ４により結束した流水管２及びヒーターガイド管３を被覆材５により被覆するため、その被覆作業が非常に容易となる。
【００４９】
また、本実施形態の製造方法において、被覆工程では、結束テープ４により結束した流水管２及びヒーターガイド管３の外側をシート状の被覆材５で筒状に巻いた後、被覆材５の幅方向の端縁部５１同士を熱融着により接合する。そのため、被覆材５を熱融着する際に接合部分（突き合わせ部５２）に熱風を当てて加熱するが、流水管２及びヒーターガイド管３の外周に結束テープ４が巻き付けられているため、熱風が流水管２及びヒーターガイド管３に直接当たることを防止できる。これにより、流水管２やヒーターガイド管３の表面が溶融して被覆材５に接着することを防止できる。
【００５０】
また、ヒーターガイド管３は、流水管２よりも薄肉で蛇腹状に形成され、伸縮性・柔軟性を有している。一方、流水管２は、水圧に耐えられるように、ヒーターガイド管３よりも肉厚に形成され、ヒーターガイド管３よりも硬い。そのため、例えば給水・給湯用配管１を配管巻き取り装置６６で巻き取る際に、その手前で流水管２及びヒーターガイド管３を被覆する被覆材５が引っ張られ、被覆材５内側のヒーターガイド管３のみが伸びるおそれがある。この場合、給水・給湯用配管１がコイル巻きされると、伸びたヒーターガイド管３がその復元力によって縮むため、ヒーターガイド管３の全長が流水管２に対して短くなるおそれがある。
【００５１】
しかしながら、本実施形態では、流水管２及びヒーターガイド管３を結束テープ４により結束し、さらに結束テープ４をヒーターガイド管３の外周面３２の凹部３２１内に食い込ませている。そのため、流水管２とヒーターガイド管３との軸方向の位置ずれも生じにくく、前述の問題が発生することを防止できる。
【００５２】
このように、本実施形態によれば、伸縮性・柔軟性を有しながら、流水管２とヒーターガイド管３との接触を維持し、両者間の伝熱性を向上させることができる給水・給湯用配管１及びその製造方法を提供することができる。
【００５３】
（実験例）
本実験例では、本発明の給水・給湯用配管の保温性（伝熱性）を評価した。
具体的には、本発明の実施例である給水・給湯用配管（試験体１）及び比較例である給水・給湯用配管（試験体２）を準備し、それぞれについて保温性試験を行った。
【００５４】
試験体１は、前述の実施形態の給水・給湯用配管（図１〜図４参照）である。一方、試験体２は、結束テープを有しておらず、結束テープによって流水管とヒーターガイド管とが結束されていない点が試験体１と異なる。
【００５５】
次に、保温性試験の概要について説明する。保温性試験は、試験体１、２の給水・給湯用配管を所定の温度環境下（−１５℃、０℃）に置き、ヒーターを加熱した状態で６時間経過した後の流水管内の水温を測定した。
【００５６】
次に、保温性試験の結果について説明する。−１５℃環境下での６時間経過後の水温は、試験体１が２．６℃、試験体２が０．３℃であった。また、０℃環境下での６時間経過後の水温は、試験体１が１２．８℃、試験体２が１０．４℃であった。
【００５７】
以上の結果から、本発明の実施例である試験体１の給水・給湯用配管は、結束テープによって流水管とヒーターガイド管とを結束したことにより、両者間の伝熱性が高くなっていることがわかった。つまり、ヒーターの熱をヒーターガイド管から流水管に効率良く伝えることができることがわかった。また、保温性にも優れていることがわかった。
【００５８】
（その他の実施形態）
本発明は、前述の実施形態等に何ら限定されるものではなく、本発明を逸脱しない範囲において種々の態様で実施しうることはいうまでもない。
【００５９】
（１）前述の実施形態では、流水管及びヒーターガイド管を結束する結束テープとして、熱伝導性に優れ、巻き付けが容易な金属製のテープであるアルミテープを用いたが、これに限定されるものではなく、その他の金属製のテープ（例えば、鉛テープ等）を用いてもよい。
【００６０】
（２）前述の実施形態では、給水・給湯用配管の製造方法において、流水管及びヒーターガイド管を結束テープで結束する結束工程、結束テープに粘着テープを貼り付ける工程、結束テープで結束した流水管及びヒーターガイド管を被覆材で被覆する被覆工程を連続的に行う例（図５参照）について説明したが、各工程を連続的に行う必要はなく、例えば工程ごとに別々の場所で行う等、それぞれの工程ごとに行ってもよい。
【符号の説明】
【００６１】
１…給水・給湯用配管
２…流水管
３…ヒーターガイド管
３０…ヒーター
３２…外周面
３２１…凹部
４…結束テープ
５…被覆材
【図１】
2016017314.tif 000003
【図２】
2016017314.tif 000004
【図３】
2016017314.tif 000005
【図４】
2016017314.tif 000006
【図５】
2016017314.tif 000007
【図６】
2016017314.tif 000008
【図７】
2016017314.tif 000009
【図８】
2016017314.tif 000010